(57)【特許請求の範囲】
【請求項１】
バッグ本体（１１）の外寸が縦、横、襠の順に大きく、バッグ本体（１１）の底面（１１ａ）の四隅に旋回自在としたキャスター（１２）を設けたキャスター付バッグに備えられるキャリーハンドル（１）であって、
前記キャリーハンドル（１）は、握り部（２）および引出し部（３）からなり、
前記握り部（２）は、バッグ本体（１１）の正面（１１ｂ）から見て横方向に伸び、かつバッグ本体（１１）の背面（１１ｃ）寄りに位置する第一握り部（２ａ）と、バッグ本体（１１）の側面（１１ｄ）から見て縦方向に伸び、かつバッグ本体（１１）の背面（１１ｃ）寄りに位置する第二握り部（２ｂ）とを有し、
前記引出し部（３）は、バッグ本体（１１）の正面（１１ｂ）から見て縦方向に引き出し自在とし、かつバッグ本体（１１）の背面（１１ｃ）寄りに位置しており、
前記握り部（２）の第一握り部（２ａ）を握ってバッグ本体（１１）を背面（１１ｃ）方向に倒した状態で引く二輪走行と、前記握り部（２）の第二握り部（２ｂ）を握ってバッグ本体（１１）を側面（１１ｄ）方向に倒した状態で引く二輪走行と、前記握り部（２）の第一、二握り部（２ａ、２ｂ）の何れかを握ってバッグ本体（１１）を直立状態で押すか又は引く四輪走行の三種類の走行を可能とし、
前記握り部（２）は、正面から見て下方向に向く略コの字形状、または正面から見て略ロの字形状にしており、
前記第二握り部（２ｂ）の内側面が下から上に向かって内方に、それぞれ垂線（Ｐ）に対し５〜３０°の傾斜角（α）を有しており、
前記握り部（２）は、バッグ本体（１１）の正面（１１ｂ）と並行でキャスター（１２）の旋回軸中心を通る前後平面（Ｐ１ 、Ｐ２ ）と、バッグ本体（１１）の側面（１１ｄ）と並行でキャスター（１２）の旋回軸中心を通る左右平面（Ｐ３ 、Ｐ４ ）とに囲まれる空間（Ｓ）内に位置していることを特徴とするキャスター付バッグのキャリーハンドル。
【請求項２】
前記握り部（２）の第一握り部（２ａ）と第二握り部（２ｂ）の境目の内側に使用者の人差指が入り込む凹部（４）を有したものとしていることを特徴とする請求項１記載のキャスター付バッグのキャリーハンドル。
【発明の詳細な説明】
【技術分野】
【０００１】
この発明は、スーツケース等、特に大型のキャスター付きバッグに好適に用いられるキャリーハンドルに関するものである。
【背景技術】
【０００２】
従来、この種のキャスター付バッグのキャリーハンドルは、握り部および引出し部からなり、握り部を略コの字形状（特許文献１、２）としたり、略ロの字形状（特許文献３、４）としたり、略Ｔの字形状（特許文献５、６）とし、引出し部を握り部の両端または中央から垂直に下げるようにして、この引出し部をバッグ本体の背面側に取り付けたものが存在する。
【０００３】
前記特許文献１に示されたキャリーハンドルを備えたキャスター付バッグでは、バッグ本体を背面方向に斜めに倒した状態で走行したり、バッグ本体を縦長に直立させたままの状態でも走行することができるとしている。
【０００４】
次に、前記特許文献２に示されたキャリーハンドルを備えたキャスター付バッグでは、バッグ本体を縦長に直立させたままの状態での走行については特に言及していないが、バッグ本体を背面方向に斜めに倒した状態での走行（キャリー走行状態）の安定性を良くするとしている。
【０００５】
さらに、前記特許文献３に示されたキャリーハンドルを備えたキャスター付バッグでは、バッグ本体を背面方向に斜めに倒した状態にすれば、雪道上でも走行できるとしている。
【０００６】
また、前記特許文献４に示されたキャリーハンドルを備えたキャスター付バッグでは、バッグ本体の走行状態については特に言及しておらず、状況に応じてキャリーハンドルを着脱することができるとしている。
【０００７】
さらにまた、前記特許文献５および６に示されたキャリーハンドルを備えたキャスター付バッグでは、バッグ本体を縦長に直立させたままの状態での走行については特に言及していないが、バッグ本体を正面方向に斜めに倒した状態で走行することができるとしている。
【先行技術文献】
【特許文献】
【０００８】
【特許文献１】特開平９−２９９１２３号公報
【特許文献２】特開平１１−４２１０９号公報
【特許文献３】特開平８−２０５９１５号公報
【特許文献４】実用新案登録第３０６８３４２号公報
【特許文献５】特開２００１−８７０２３号公報
【特許文献６】特開２００４−２２３０９３号公報
【発明の概要】
【発明が解決しようとする課題】
【０００９】
上記従来の特許文献１〜６に示されたキャリーハンドルでは、キャスター付バッグを正面方向または背面方向に斜めに倒した状態で引く二輪走行、またはキャスター付バッグを直立状態で押すか、引く四輪走行を行なうことができるとしている。
【００１０】
しかしながら、上記従来のキャリーハンドルでは、キャスター付バッグを側面方向に倒した状態で引く二輪走行を行なうことができない。
【００１１】
そこで、この発明は、上記従来のキャリーハンドルが有する課題を解決するためになされたものであり、キャスター付バッグを背面方向に斜めに倒した状態で引く二輪走行、およびキャスター付バッグを直立状態で押すか、引く四輪走行、さらにキャスター付バッグを側面方向に倒した状態で引く二輪走行の三種類の走行を行なうことができるキャスター付バッグのキャリーハンドルを提供することを目的とする。
【課題を解決するための手段】
【００１２】
そのため、この発明のキャスター付バッグのキャリーハンドルは、バッグ本体１１の外寸が縦、横、襠の順に大きく、バッグ本体１１の底面１１ａの四隅に旋回自在としたキャスター１２を設けたキャスター付バッグに備えられる。前記キャリーハンドル１は、握り部２および引出し部３からなる。前記握り部２は、バッグ本体１１の正面１１ｂから見て横方向に伸び、かつバッグ本体１１の背面１１ｃ寄りに位置する第一握り部２ａと、バッグ本体１１の側面１１ｄから見て縦方向に伸び、かつバッグ本体１１の背面１１ｃ寄りに位置する第二握り部２ｂとを有している。前記引出し部３は、バッグ本体１１の正面１１ｂから見て縦方向に引き出し自在とし、かつバッグ本体１１の背面１１ｃ寄りに位置している。前記握り部２の第一握り部２ａを握ってバッグ本体１１を背面１１ｃ方向に倒した状態で引く二輪走行と、前記握り部２の第二握り部２ｂを握ってバッグ本体１１を側面１１ｄ方向に倒した状態で引く二輪走行と、前記握り部２の第一、二握り部２ａ、２ｂの何れかを握ってバッグ本体１１を直立状態で押すか又は引く四輪走行の三種類の走行を可能としている。そして、この発明のキャスター付バッグのキャリーハンドルにおいて、前記握り部２は、正面から見て下方向に向く略コの字形状、または正面から見て略ロの字形状であって、前記第二握り部２ｂの内側面が下から上に向かって内方に、垂線Ｐに対し５〜３０°の傾斜角αを有している。さらに、前記握り部２は、バッグ本体１１の正面１１ｂと並行でキャスター１２の旋回軸中心を通る前後平面Ｐ１ 、Ｐ２ と、バッグ本体１１の側面１１ｄと並行でキャスター１２の旋回軸中心を通る左右平面Ｐ３ 、Ｐ４ とに囲まれる空間Ｓ内に位置するようにしている。
【００１７】
また、この発明のキャスター付バッグのキャリーハンドルにおいて、前記握り部２の第一握り部２ａと第二握り部２ｂの境目の内側に使用者の人差指が入り込む凹部４を有したものとしている。
【発明の効果】
【００１９】
この発明のキャスター付バッグのキャリーハンドルは、以上に述べたような構成としているので、キャスター付バッグを背面方向に斜めに倒した状態で引く二輪走行、およびキャスター付バッグを直立状態で押すか、引く四輪走行、さらにキャスター付バッグを側面方向に倒した状態で引く二輪走行の三種類の走行を行なうことができる。したがって、使用者は、これら三種類のうちから必要に応じたそのキャスター付バッグの走行を選択することができ、キャスター付バッグの走行による運搬が非常に容易なものとなる。
【図面の簡単な説明】
【００２０】
【図１】この発明のキャリーハンドル（引出し部は一杯に引き出した状態にしている）を備えたキャスター付バッグの正面図である。
【図２】この発明のキャリーハンドル（引出し部は一杯に引き出した状態にしている）を備えたキャスター付バッグの側面図である。
【図３】この発明のキャリーハンドル（引出し部は引き出していない状態にしている）を備えたキャスター付バッグの背面図である。
【図４】この発明のキャリーハンドルを備えたキャスター付バッグの底面図である。
【図５】この発明のキャリーハンドルの握り部の一形態を示す正面図である。
【図６】図５に示すキャリーハンドルの握り部の斜め上からの斜視図である。
【図７】図５に示すキャリーハンドルの握り部の斜め下からの斜視図である。
【図８】この発明のキャリーハンドルの握り部の他の形態を示す正面図である。
【図９】この発明のキャリーハンドルの握り部のさらに他の形態を示す正面図である。
【図１０】この発明のキャリーハンドル（引出し部は少し引き出した状態にしている）を備えたキャスター付バッグを側面方向に斜めに倒した状態の正面図である。
【図１１】図１０の状態のキャスター付バッグの側面図である。
【図１２】この発明のキャリーハンドル（引出し部は使用者の使い勝手のよい長さに引き出した状態にしている）を備えたキャスター付バッグの三種類の走行状態を、使用者の側方から見た説明図である。
【図１３】図１２に示すキャスター付バッグの三種類の走行状態を、使用者の上方から見た説明図である。
【発明を実施するための形態】
【００２１】
以下、この発明を実施するための形態を、図面に基づいて詳細に説明する。
【００２２】
この発明のキャリーハンドル１は、握り部２および引出し部３からなり、図１〜４に示したように、バッグ本体１１の外寸が縦、横、襠の順に大きく、バッグ本体１１の底面１１ａの四隅に旋回自在としたキャスター１２を設けた縦型のスーツケースなどのキャスター付バッグに備えられる。
【００２３】
前記握り部２は、バッグ本体１１の正面１１ｂから見て横方向に伸び、かつバッグ本体１１の背面１１ｃ寄りに位置する第一握り部２ａと、バッグ本体１１の側面１１ｄから見て縦方向に伸び、かつバッグ本体１１の背面１１ｃ寄りに位置する第二握り部２ｂとを有している。
【００２４】
このような握り部２は、例えば図５〜７に示したように、第一握り部２ａの両端から下方に第二握り部２ｂを設けたような、正面から見て下方向に向く略コの字形状であって、前記第二握り部２ｂの内側面が下から上に向かって内方に、それぞれ垂線Ｐに対し５〜３０°、好ましくは１５〜２０°の傾斜角αを有している形態とすることができる。
【００２５】
さらに、前記握り部２は、図８に示したように、第一握り部２ａの両端から下方に第二握り部２ｂを設け、さらに第二握り部２ｂのそれぞれの下端どうしを連結部２ｃで連結したような、正面から見て略ロの字形状であって、前記第二握り部２ｂの内側面が下から上に向かって内方に、それぞれ垂線Ｐに対し５〜３０°、好ましくは１５〜２０°の傾斜角αを有している形態とすることができる。
【００２６】
また、前記握り部２は、図９に示したように、第一握り部２ａの一端から下方に第二握り部２ｂを設け、さらに第二握り部２ｂの下端から横方向に連結部２ｃを設けたような、正面から見て横方向に向く略コの字形状であって、前記第二握り部２ｂの内側面が下から上に向かって内方に、垂線Ｐに対し５〜３０°、好ましくは１５〜２０°の傾斜角αを有している形態とすることができる。
【００２７】
前記傾斜角αを、垂線Ｐに対し５〜３０°、好ましくは１５〜２０°としたのは、後に述べるバッグ本体１１を側面１１ｄ方向に倒した状態で引く二輪走行を行なう場合に、使用者の前腕部を前方へ向け、使用者の後方へのバッグ本体１１の飛び出し寸法を適度に抑えるためである。
【００２８】
すなわち、バッグ本体１１を側面１１ｄ方向に倒した状態で引く二輪走行を行なう場合には、垂線Ｐに対し直角方向に第二握り部２ｂを握るのが好ましいが、バッグ本体１１の荷重により使用者の手首が走行方向に向かって最大約３０°まで曲がるので、前記傾斜角αを５〜３０°、好ましくは１５〜２０°とするのが良いといえる。
【００２９】
しかし、前記傾斜角αが３０°を超えると、使用者の手首の曲げによる対応ができなくなるので、手首への負担が大きくなり、使用者の前腕部が後方に向くような握りに持ち換える必要があるが、前腕部が後方に向くとバッグ本体１１の荷重により、前記二輪走行を行なう場合には、バッグ本体１１が後へ引っ張られ、使用者の後方へのバッグ本体１１の飛び出し寸法が大きくなってしまう。
【００３０】
そして、前記握り部２は、図１０、１１に示したように、バッグ本体１１の正面１１ｂと並行でキャスター１２の旋回軸中心を通る前後平面Ｐ１ 、Ｐ２ と、バッグ本体１１の側面１１ｄと並行でキャスター１２の旋回軸中心を通る左右平面Ｐ３ 、Ｐ４ とに囲まれる空間Ｓ内に位置するようにしている。このようにすることにより、バッグ本体１１を側面１１ｄ方向に倒した状態で引く二輪走行を行なう場合に、使用者の踵がキャスター１２に接触するようなことはなく、快適な走行を行なうことができる。
【００３１】
さらに、前記握り部２は、何れの形態においても、第一握り部２ａと第二握り部２ｂの境目の内側に使用者の人差指が入り込む凹部４を有したものとしている。この凹部４は、湾曲凹面を有するものとしており、その湾曲凹面に少なくとも使用者の人差指の断面積の約半分が入り込む大きさにしている。このようにすることにより、バッグ本体１１を側面１１ｄ方向に倒した状態で引く二輪走行を行なう場合に、第二握り部２ｂへの使用者の手のフィット感が良くなり、快適な走行を行なうことができる。
【００３２】
前記引出し部３は、バッグ本体１１の正面１１ｂから見て縦方向に引き出し自在とし、かつバッグ本体１１の背面１１ｃ寄りに位置するようにして、バッグ本体１１に取り付けられている。
【００３３】
このような引出し部３は、図５〜７に示したような、正面から見て下方向に向く略コの字形状とした握り部２には、前記第二握り部２ｂのそれぞれの下端から垂直に下げるようにして、前記バッグ本体１１の背面１１ｃ寄りに取り付けられている。
【００３４】
さらに、前記引出し部３は、図８に示したような、正面から見て略ロの字形状とした握り部２には、前記連結部２ｃの中央から垂直に下げるようにして、前記バッグ本体１１の背面１１ｃ寄りに取り付けられている。
【００３５】
また、前記引出し部３は、図９に示したような、正面から見て横方向に向く略コの字形状とした握り部２には、前記連結部２ｃの先端から垂直に下げるようにして、前記バッグ本体１１の背面１１ｃ寄りに取り付けられている。
【００３６】
したがって、このように構成したキャスター付バッグは、図１２、１３に一点鎖線で示したように、前記引出し部３を使用者の使い勝手のよい長さに引き出した状態にして、前記握り部２の第一握り部２ａを握ってバッグ本体１１を背面１１ｃ方向に倒した状態で引く二輪走行が可能となる。
【００３７】
さらに、このように構成したキャスター付バッグは、図１２、１３に実線で示したように、前記引出し部３を使用者の使い勝手のよい長さに引き出した状態にして、前記握り部２の第二握り部２ｂを握ってバッグ本体１１を側面１１ｄ方向に倒した状態で引く二輪走行が可能となる。
【００３８】
また、このように構成したキャスター付バッグは、図１２、１３に二点鎖線で示したように、前記引出し部３を使用者の使い勝手のよい長さに引き出した状態にして、前記握り部２の第一、二握り部２ａ、２ｂの何れかを握ってバッグ本体１１を直立状態で押すか又は引く四輪走行が可能となる。
【００３９】
そして、この場合、キャリーハンドル１の握り部２の第一握り部２ａを握ってバッグ本体１１を背面１１ｃに倒した状態で引く二輪走行に比べ、前記握り部２の第二握り部２ｂを握ってバッグ本体１１を側面１１ｄ方向に倒した状態で引く二輪走行の方が、図１２、１３に示したように、使用者の後方へのバッグ本体１１の飛び出し寸法Ｌを少なくとも１５０ｍｍ短くなるようにしている。このようにすれば、前記バッグ本体１１を背面１１ｃに倒した状態で引く二輪走行に比べ、バッグ本体１１を側面１１ｄ方向に倒した状態で引く二輪走行の方が、より狭い空間での走行が可能となり、キャスター付バッグのすぐ近くの通行者などの邪魔になることがなくなる。
【００４０】
以上に述べたように、この発明のキャリーハンドルは、キャスター付バッグを背面方向に斜めに倒した状態で引く二輪走行、およびキャスター付バッグを直立状態で押すか、引く四輪走行、さらにキャスター付バッグを側面方向に倒した状態で引く二輪走行の三種類の走行を行なうことができる。したがって、使用者は、これら三種類のうちから必要に応じたそのキャスター付バッグの走行を選択することができ、キャスター付バッグの走行による運搬が非常に容易なものとなる。
【符号の説明】
【００４１】
１  キャリーハンドル
２  握り部
２ａ  第一握り部
２ｂ  第二握り部
３  引出し部
４  凹部
１１  バッグ本体
１１ａ  底面
１１ｂ  正面
１１ｃ  背面
１１ｄ  側面
１２  キャスター
α  傾斜角
Ｌ  飛び出し寸法
Ｐ  垂線
Ｐ１ 前平面
Ｐ２ 後平面
Ｐ３ 左平面
Ｐ４ 右平面
Ｓ  空間
【図１】
0005907201.tif 000002
【図２】
0005907201.tif 000003
【図３】
0005907201.tif 000004
【図４】
0005907201.tif 000005
【図５】
0005907201.tif 000006
【図６】
0005907201.tif 000007
【図７】
0005907201.tif 000008
【図８】
0005907201.tif 000009
【図９】
0005907201.tif 000010
【図１０】
0005907201.tif 000011
【図１１】
0005907201.tif 000012
【図１２】
0005907201.tif 000013
【図１３】
0005907201.tif 000014